(57)【要約】【課題】本発明は、利用者が受信端末機を用いて得た絶対位置情報に基づいて発信情報を表示部で認識し、その場所の情報を容易に得ることを目的とする。【解決手段】本発明による３次元空間位置情報に基づく情報の検索・伝達方法は、利用者が持つ受信端末機(1)で絶対位置情報(20)を読み取り、この絶対位置情報(20)に基づいて各種の発信情報(10,12)を表示部(2)に表示することにより、当該場所の発信情報(10,12)を自在に入手することができる方法である。【選択図】図２
2006148694.tif 000002
【特許請求の範囲】
【請求項１】
外部に設けられた情報発信機(30)からの発信情報(10,12)を受信端末機(1)で受信し、前記受信端末機(1)のＧＰＳ受信機能(7)及び慣性センサ(5)からのＧＰＳ信号(6)及び慣性信号(4)を用いて３次元空間における絶対位置情報(20)を読み取ると共に、前記発信情報(10,12)を表示部(2)によって表示することを特徴とする３次元空間位置情報に基づく情報の検索・伝達方法。
【請求項２】
前記情報発信機(30)は、赤外線発信機(11)、無線ＩＣタグ(9)からなることを特徴とする請求項１記載の３次元空間位置情報に基づく情報の検索・伝達方法。
【請求項３】
前記絶対位置情報(20)をネットワーク(3A)経由でデータベースに入力し、前記データベースでは前記絶対位置情報(20)をインデックス・キーとして前記発信情報(10,12)の検索を行うことを特徴とする請求項１又は２記載の３次元空間位置情報に基づく情報の検索・伝達方法。
【請求項４】
前記発信情報(10,12)は、前記データベース側から前記ネットワーク(3A)経由で前記絶対位置情報(20)を送信した当該の前記受信端末機(1)に宛てて送信され表示されることを特徴とする請求項１ないし３の何れかに記載の３次元空間位置情報に基づく情報の検索・伝達方法。
【請求項５】
前記発信情報(10,12)は、前記データベース側で検索された商店情報であることを特徴とする請求項１ないし４の何れかに記載の３次元空間位置情報に基づく情報の検索・伝達方法。
【請求項６】
前記発信情報(10,12)は、会議室の利用情報であることを特徴とする請求項１ないし５の何れかに記載の３次元空間位置情報に基づく情報の検索・伝達方法。
【発明の詳細な説明】
【技術分野】
【０００１】
本発明は、３次元空間位置情報に基づく情報の検索・伝達方法に関し、特に、受信端末機により発信情報とＧＰＳ信号と慣性信号を受信し、絶対空間位置情報を読み取ると共に、その発信情報を表示部によって表示するための新規な改良に関する。
【背景技術】
【０００２】
従来、用いられていたこの種の特定エリア内において適切な情報を得る方法としては、文献名を特に示していないが、情報を得たい側がその都度、詳細なプロフィール等を入力することにより、アンサーバックの形式で情報を入手していた。
【発明の開示】
【発明が解決しようとする課題】
【０００３】
従来の情報の検索・伝達方法は、以上のように構成されていたため、次のような課題が存在していた。
すなわち、特定のエリア内において適切な情報を得るためには、情報を得たい側がその都度、詳細なプロフィール等を入力しなければならず、例えば、旅行先や不案内な土地等では、その場所のプロフィール等を入力、選択すること自体が困難であった。
また、例えば、社内の各会議室等や、市内の各施設等で、現在、何の会議や催事が行われているか等の情報は、社内の総務課又は市役所の窓口等に行かなければ分からず、ＩＴ時代にはそぐわない状態であった。
【課題を解決するための手段】
【０００４】
本発明による３次元空間位置情報に基づく情報の検索・伝達方法は、外部に設けられた情報発信機からの発信情報を受信端末機で受信し、前記受信端末機のＧＰＳ受信機能及び慣性センサからのＧＰＳ信号及び慣性信号を用いて３次元空間における絶対位置情報を読み取ると共に、前記発信情報を表示部によって表示する方法であり、また、前記情報発信機は、赤外線発信機、無線ＩＣタグからなる方法であり、また、前記絶対位置情報をネットワーク経由でデータベースに入力し、前記データベースでは前記絶対位置情報をインデックス・キーとして前記発信情報の検索を行う方法であり、また、前記発信情報は、前記データベース側から前記ネットワーク経由で前記絶対位置情報を送信した当該の前記受信端末機に宛てて送信され表示される方法であり、また、前記発信情報は、前記データベース側で検索された商店情報である方法であり、また、前記発信情報は、会議室の利用情報である方法である。
【発明の効果】
【０００５】
本発明による３次元空間位置情報に基づく情報の検索・伝達方法は、以上のように構成されているため、次のような効果を得ることができる。
すなわち、外部に設けられた情報発信機からの発信情報を受信端末機で受信し、この受信端末機のＧＰＳ受信機能及び慣性センサからのＧＰＳ信号及び慣性信号を用いて３次元空間における絶対位置情報を読み取り、この絶対位置（例えば、商店、会議室等）の各種発信情報を自動的に読み出して表示することができる。
また、発信情報が商店情報である場合には、商店拡販広告手段として、ユーザーに商店情報を提供することができる。
また、発信情報が会議室の利用情報である場合には、ユーザーに会議室の現状、スケジュール等を提供することができる。
【発明を実施するための最良の形態】
【０００６】
本発明は、受信端末機により発信情報とＧＰＳ信号と慣性信号を受信し、絶対空間位置情報を読み取ると共に、その発信情報を表示部に表示することができるようにした３次元空間位置情報に基づく情報の検索・伝達方法を提供することを目的とする。
【実施例】
【０００７】
以下、図面と共に本発明による３次元空間位置情報に基づく情報の検索・伝達方法の好適な実施の形態について説明する。
図２は本発明方法において用いられる受信端末機１の１例を示しており、この受信端末機１には、ＬＣＤ等からなる表示部２と、この受信端末機１を無線ＬＡＮ、携帯ネットワーク、インターネット等からなるネットワーク３Ａに接続するためのアンテナ３と、慣性信号４を得るためのジャイロセンサからなる慣性センサ５と、ＧＰＳ信号６を得るためのＧＰＳ受信器からなるＧＰＳ受信機能７と、無線により発信される無線ＩＣタグ９からのＩＤコードの発信情報１０を読み取るためのＲＦＩＤリーダ８と、赤外線による赤外線発信機１１からの発信情報１２を受信するための赤外線受信器１３とを備えている。
【０００８】
前記慣性信号４とＧＰＳ信号６とにより、３次元空間における絶対位置情報２０が得られ、前記各発信情報１０、１２は、会社、駅、市役所、商店、イベント会場等の外部に設けられた情報発信機３０から得られるように構成されている。
【０００９】
次に、前記受信端末機１を用いて情報処理する場合のフローについて、図１に基づいて説明する。
図１において、第１ステップ：３０において前記受信端末機１内の処理を行い、初期化を完了する。
第２ステップ：３１において、前記受信端末機１を作動させることにより、ＧＰＳ受信機能７及び慣性センサ５による慣性信号４及びＧＰＳ信号６によって、利用者が携帯している受信端末機１が位置するその時の３次元空間における絶対位置情報２０を取得する。
【００１０】
また、赤外線受信器１３及びＲＦＩＤリーダ８によって、前記赤外線発信機１１及び無線ＩＣタグ９からの各発信情報１０、１２を取り込まれる。
【００１１】
第３ステップ：３２において、前記絶対位置情報２０を解析し、この絶対位置情報２０をインデックス・キーとして前記ネットワーク３Ａを介して図示しないデータベースにアクセスし、第４ステップ：３３で前記発信情報１０、１２の検索を行い、データベースに登録があるか否かを行う。
【００１２】
第５ステップ：３４において、前記データベースで登録済みの発信情報１０、１２を受信端末機１の表示部２に表示する。
第６ステップ：３５において、利用者が入力情報を前記データベース側に入力して反映させることにより、前記表示部２で表示させる前記発信情報１０、１２の内容の選択等を行うことができる。
【００１３】
また、前述の図２で示す受信端末機１においては、街頭において、商店拡販広告手段として用い、発信情報１０、１２として商店情報を表示した場合を示している。
【００１４】
また、図４で示す受信端末機１においては、発信情報１０、１２として、会議室の利用情報を表示部２に表示した場合を示しており、会議室のスケジュール等を表示して特定個人向情報伝達手段を構成している。
【００１５】
従って、利用者がこの受信端末機１を所持して外部で用いることにより、その利用者が位置する３次元空間における絶対位置情報２０が検出され、この絶対位置情報２０に基づいて各種の発信情報１０、１２の入手及び表示を行うことができる。
また、前記発信情報１０、１２は、データベース側からネットワーク３Ａを経由して、絶対位置情報２０を送信した当該の受信端末機１に宛てて送信され表示されるものである。
【産業上の利用可能性】
【００１６】
本発明は、ナビ情報を入れることにより、屋内外のあらゆる情報と合わせて、ナビ付き情報として用いることにも適用可能である。
【図面の簡単な説明】
【００１７】
【図１】本発明による３次元空間位置情報に基づく情報の検索・伝達方法のフロー図である。
【図２】図１で用いる受信端末機を示す構成図である。
【図３】図１で用いる情報発信機を示す構成図である。
【図４】図２の他の形態を示す構成図である。
【符号の説明】
【００１８】
１    受信端末機
２    表示部
３    アンテナ
３Ａ    ネットワーク
４    慣性信号
５    慣性センサ（ジャイロセンサ）
６    ＧＰＳ信号
７    ＧＰＳ受信機能
８    ＲＦＩＤリーダ
９    無線ＩＣタグ
１０、１２    発信情報
１１    赤外線発信機
１３    赤外線受信器
２０    絶対位置情報
３０    情報発信機
【図１】
2006148694.tif 000003
【図２】
2006148694.tif 000004
【図３】
2006148694.tif 000005
【図４】
2006148694.tif 000006